(57)【要約】      （修正有）【課題】中継キャップの両開口孔方向に雌ねじを設け、それぞれ垂下した棒軸と、棒軸の先端に固着された塗布具を備え、それぞれの塗布具はそれぞれの容器本体内の化粧料に当接、又は進入して化粧を施す塗布具付両軸化粧料容器であって、部材と組付工数の省力化によるコストの低減を課題とした。【解決手段】両方の容器本体３Ａ、３Ｂに螺着する中継キャップ２を、両ねじキャップと両端に塗布具１Ａ，１Ｂが固着された一体棒軸とで構成可能とした。【選択図】図１
2006174936.tif 000002
【特許請求の範囲】
【請求項１】
化粧料が充填された二つの容器本体と、この二つの容器本体の口栓に螺合する中継キャップと、前記中継キャップの両端開口孔より棒軸を延設し、この棒軸先端には塗布具が固着され、前記それぞれの容器本体内の化粧料を塗布具に塗布して化粧を施す塗布具付両軸化粧料容器であって；
前記中継キャップは貫通孔を有し、内径両開口孔方向に、雌ねじを形成した両ねじキャップと、両端に塗布具が固定された一体棒軸より構成されることを特徴とした塗布具付両軸化粧料容器。
【請求項２】
前記両ねじキャップ内には、一つの凹部とスプライン部が形成され、前記一体棒軸は前記凹部とスプライン部によって回動不能脱落不能に固定されることを特徴とする請求項１記載の塗布具付両軸化粧料容器。
【発明の詳細な説明】
【技術分野】
【０００１】
本発明は、両軸の液状や粉状の化粧料を、塗布具により使用する化粧料容器に関する。
【背景技術】
【０００２】
塗布具付両軸化粧料容器は例えば図５に示す如く、有底のキャップ３ａは内径に雌ねじ８３が形成されるとともに、棒軸２ａの基部が固定され、棒軸２ａの先端にはボトル４ａ内に進入し、化粧料を塗布するブラシ１ａを固着したユニット、キャップ３ａと棒軸２ａとブラシ１ａをワンユニットとし、対照的にキャップ３ｂと棒軸２ｂとブラシ１ｂをワンユニットとして反対側に設置し、キャップ３ａとキャップ３ｂの外観を継具８０で覆った塗布具付両軸化粧料容器が知られている。他の両軸化粧料容器も前記従来例に類似したものが多く、部材数が多く、同時に組み立て工数も多くなっている。
【特許文献１】特開２００４−７３７７７号公報
【特許文献２】特開２００４−１４１３９２号公報
【特許文献３】特開２００３−２８９９４２号公報
【特許文献４】特開２００４−１５４５５７号公報
【発明の開示】
【発明が解決しようとする課題】
【０００３】
本発明は上記問題に鑑みなされたもので、使用部材を最少とするとともに組み立ての工数を減らし、コストの低減を目的とするものである。
【課題を解決するための手段】
【０００４】
そのため、本発明の塗布具付両軸化粧料容器においては、化粧料が充填された二つの容器本体と、この二つの容器本体の口栓に螺合する中継キャップと、前記中継キャップの両端開口孔より棒軸を延設し、この棒軸先端には塗布具が固着され、前記それぞれの容器本体内の化粧料を塗布具に塗布して化粧を施す塗布具付両軸化粧料容器であって；
前記中継キャップは貫通孔を有し、内径両開口孔方向に、雌ねじを形成した両ねじキャップと、両端に塗布具が固定された一体棒軸より構成する手段を講じたものである。
【０００５】
第２の発明においては、前記両ねじキャップ内には、一つの凹部とスプライン部が形成され、前記一体棒軸は前記凹部とスプライン部によって回動不能脱落不能に固定する手段を講じたものである。
【発明を実施するための最良の形態】
【０００６】
本発明を図により詳細に説明する。
図１の（Ａ）図に示されるのは、本発明の塗布具付両軸化粧料容器１を、化粧料が充填された容器本体３Ａ、容器本体３Ｂと中継キャップ２を分離して示した図であり、中継キャップ２は、図２に示す（Ｃ）図の両ねじキャップ２０に(Ｄ）図の一体棒軸３０が嵌着された状態を指す。
【０００７】
図１の（Ｂ）は、中継キャップ２の両開口の雌ねじ２２，２３に容器本体３Ａ、３Ｂが螺合して、塗布具付両軸化粧料容器１が一体化した状態を示すものである。
【０００８】
実施例の塗布具付両軸化粧料容器１は、塗布具１Ａ，１Ｂにチップが固着され、容器本体３Ａ、３Ｂ内に粉状化粧料が充填されたチップオンパウダーの両軸式化粧料容器となっている。
【０００９】
中継キャップ２を構成する両ねじキャップ２０は、図２の（Ｃ）に示されるように、円筒外筒２１として形成され、貫通孔２４を有し、開口孔Ａ，開口孔Ｂのそれぞれ内径に雌ねじ２２，雌ねじ２３を備え、開口孔Ａ側にスプライン２５と一体棒軸３０を固定する凹部２６が一カ所設置される。この両ねじキャップ２０は射出成形金型で製作され、射出成形によって形成される。
【００１０】
（Ｄ）図は一体棒軸３０を示し、嵌着部３４には前記両ねじキャップ２０と一体化する嵌合凸部３１と縦リブ３２が設置される。又、棒軸２Ａ、棒軸２Ｂ先端には腔部３３Ａ、腔部３３Ｂが穿設され、ここに塗布具１Ａ，塗布具１Ｂが固着される。棒軸２Ａ、棒軸２ＢにはそれぞれＯリング溝４Ａ，４Ｂが設けられる。
【００１１】
次に両ねじキャップ２０と、一体棒軸３０の組み付けについて説明する。
一体棒軸３０は、両ねじキャップ２０の開口孔Ａ側より一体棒軸３０のＢ側を挿入していき、塗布具１Ｂ、棒軸２Ｂが開口孔Ｂ側より突出した時点で縦リブ３２とスプライン２５が係合し、凹部２６に嵌合凸部３１が嵌着することで回動不能脱落不能に一体棒軸３０が両ねじキャップ２０内に嵌着し、中継キャップ２を形成する。そのため組み付けは、一体棒軸３０を貫通させ嵌着させる一工程で終了する。
【００１２】
本発明は、両端に塗布具を固定した一体棒軸３０を貫通孔２４を有する両ねじキャップ２０の凹部２６が設けられた開口孔Ａ側より一体棒軸３０のＢ側を挿入して中継キャップ２を構成することで、部材の減少と組み付け回数を減らし、コストの低減を目的とした発明である。
【００１３】
実施例における図３は、容器本体３Ａ、３Ｂを示し、チップオンパウダーの容器本体３Ａ、３Ｂの各部材を示した図であり、（Ｅ）は本体筒７０で、口栓７２には雄ねじ７１が配され、口栓７２より下部は外筒７３として外観が形成され、前端開口孔７６より貫通孔が後端開口孔７７まで穿設され、内径にカップ４０が回動不能に縦摺動するための摺動溝７４が設けられている。
【００１４】
（Ｆ）は粉状化粧料ａが腔部４１に充填されたカップ４０を示し、カップ４０の外周には前記本体筒７０内径の摺動溝７４に係合する係合突起４２が設けられている。そのため、カップ４０は回動不能に後述する弾発スプリング５０によって摺動する。
【００１５】
（Ｊ）は弾発スプリング５０を示し、前端部５１はカップ４０の底部４３に当接し、後端部５２は尾栓６０の底面６１に当接してカップ４０を常時前端開口孔７６側に付勢している。
【００１６】
（Ｋ）は尾栓６０を示し、本体筒７０の後端開口孔７７端部とフランジ６３の上端面が当接するとともに、尾栓嵌合部７５と凸部６２との嵌合によって、本体筒７０と一体化する。
【００１７】
なお、容器本体３Ａと容器本体３Ｂは、図３における各部材が同じに使用され、カップ４０内に充填される化粧料が粉状化粧料ａと粉状化粧料ｂとして異なって充填され、図１の（Ａ）（Ｂ）における両軸のチップオンパウダー容器を構成する。
【００１８】
作用を説明する。
図１の（Ｂ）の状態から中継キャップ２と使用したい方の容器本体、例えば３Ａの外筒７３を持って回動すると、雌ねじ２２に螺合していた口栓７２の雄ねじ７１は螺合が解けると同時に塗布具１Ａはカップ４０内の粉状化粧料ａに当接しながら回動するため、塗布具１Ａに適量の粉状化粧料ａが塗布される。使用者はこの塗布具１Ａに塗布された粉状化粧料ａを肌に塗布することで化粧を施す。又、棒軸２Ａを容器本体３Ａ内に戻して、中継キャップ２と逆に回動することで、仕舞うことが出来る。粉状化粧料ｂ側を使用したい場合は、中継キャップ２と容器本体３Ｂを回動して粉状化粧料ａの使用時と同様に化粧を施すことが出来る。
【００１９】
図１の（Ｂ）の中継キャップ２部分を（Ｌ）として、図４に斜視図として開示してある。容器本体３Ａ、３Ｂの口栓７２の外径寸法Ｘは、中継キャップ２を構成する両ねじキャップ２０の開口孔Ａ、Ｂに挿入可能と同時にＡ側下向き段部２８及びＢ側下向き段部２９の内径寸法よりやや大きく設定され、それぞれの下向き段部２８、２９に当接することで螺合の完了としてもよく、又、容器本体３Ａ、３Ｂの口栓７２下の段部７８と両ねじキャップ２０の端面２７に当接する状態で螺合完了としてもよい。  
【００２０】
図２の(Ｄ’)に他の実施例としての一体棒軸１３０が開示され、Ａ側にはマスカラブラシ１０１Ａが、Ｂ側にはチップ１０１Ｂが固着され、Ａ側の容器本体内には、図５に示すボトル４ａと同様なマスカラ液が充填されるとともに、Ｂ側は前期実施例と同様な粉状化粧料が充填され、液状化粧料と粉状化粧料とを使用可能にする一体棒軸１３０が示され、この一体棒軸１３０も図２の（Ｃ）の両ねじキャップ２０に固着可能となっている。
【００２１】
（Ｃ）に記載される両ねじキャップ２０の開口孔Ａ側より一体棒軸１３０のチップ１０１Ｂ側を挿入して、嵌合凸部１３１と縦リブ１３２によって凹部２６に嵌合するとともに、スプライン２５によって回動不能に組み付けられる。
【００２２】
本発明は、塗布具付両軸化粧料容器であり、貫通孔２４を有する両ねじキャップ２０を使用することで、両端に固着された塗布具を備えた一体棒軸３０，１３０を１回の行程で両ねじキャップ２０に組み付けることで、部材の減少と組付工数を減らし、コスト削減を目的とした発明である。
【図面の簡単な説明】
【００２３】
【図１】本発明の塗布具付両軸化粧料容器を、容器本体３Ａ，３Ｂと中継キャップとに分解した状態を示す縦一部断面図である。
【図２】本発明の塗布具付両軸化粧料容器の各部材を示す縦一部断面図であり、(Ｃ)は両ねじキャップを、(Ｄ)は一体棒軸（両軸ともチップタイプ）を、そして(Ｄ’)も一体棒軸（チップとマスカラブラシ）をそれぞれ示している。
【図３】図１の塗布具付両軸化粧料容器の容器本体を示す縦一部断面図で、（Ｅ）は本体筒を、（Ｆ）はカップを、（Ｊ）は弾性スプリングを、そして（Ｋ）は尾栓をそれそれ示している。
【図４】図１の（Ｂ）で示されている中継キャップを示す斜視図である。
【図５】従来例である。
【符号の説明】
【００２４】
１・・・・  塗布具付両軸化粧料容器
Ａ・・・・  開口孔
Ｂ・・・・  開口孔
ａ（ｂ）・・ 粉状化粧料
１Ａ・・・  塗布具
１Ｂ・・・  塗布具
２・・・・  中継キャップ
２Ａ・・・  棒軸
２Ｂ・・・  棒軸
３Ａ・・・  容器本体
３Ｂ・・・  容器本体
４Ａ・・・  Ｏリング溝
４Ｂ・・・  Ｏリング溝
２０・・・  両ねじキャップ
２１・・・  円筒外筒
２２・・・  雌ねじ
２３・・・  雌ねじ
２４・・・  貫通孔
２５・・・  スプライン
２６・・・  凹部
３０・・・  一体棒軸
３１・・・  嵌合凸部
３２・・・  縦リブ
３３Ａ・・  腔部
３３Ｂ・・  腔部
３４・・・  嵌着部
４０・・・  カップ
４１・・・  腔部
４３・・・  底部
６０・・・  尾栓
６２・・・  凸部
６３・・・  フランジ
７０・・・  本体筒
７１・・・  雄ねじ
７２・・・  口栓
７３・・・  外筒
７４・・・  摺動溝
７６・・・  前端開口孔
７７・・・  後端開口溝
８０・・・  継具
８１・・・  接続部分
８２・・・  フランジ部
８３・・・  雌ねじ
【図１】
2006174936.tif 000003
【図２】
2006174936.tif 000004
【図３】
2006174936.tif 000005
【図４】
2006174936.tif 000006
【図５】
2006174936.tif 000007